(57)【要約】【課題】電源装置の出力電圧の精度を高めること【解決手段】制御信号生成回路５０５はハイレベルとローレベルとを繰り返すパルス信号に基づき制御信号を生成する。出力制御回路５０６および高圧生成回路５０７は制御信号にしたがって出力電圧Ｖｏｕｔを生成する。検出回路５０８は高圧生成回路５０７が生成した出力電圧を検出して検出信号を出力する。バッファ２０１は、入力されたパルス信号の電圧レベルのうちハイレベルを、検出回路５０８に供給される基準電圧３．３Ｖｒｅｆのレベルに変換し、制御信号生成回路５０５に出力する。そのため、電源３．３Ｖｄからの基準電圧と電源３．３Ｖｒｅｆからの基準電圧とが逆方向にばらついたとしても、出力電圧Ｖｏｕｔへの影響が小さくなる。【選択図】  図１
2015204675.tif 000002
【特許請求の範囲】
【請求項１】
ハイレベルとローレベルとを繰り返すパルス信号に基づき制御信号を生成する信号生成回路と、
前記制御信号にしたがって出力電圧を生成する電圧生成回路と、
前記電圧生成回路が生成した出力電圧を検出して検出信号を出力する検出回路と、
入力されたパルス信号の電圧レベルのうちハイレベルを、前記検出回路に供給される基準電圧のレベルに変換し、前記信号生成回路に出力する電圧変換回路と
を有することを特徴とする電源装置。
【請求項２】
前記電圧変換回路はバッファ回路で構成されることを特徴とする請求項１に記載の電源装置。
【請求項３】
第一電源と、
前記第一電源から供給された基準電圧に基づき前記電圧変換回路に供給されるパルス信号を発生する発生回路と、
前記第一電源から独立し、基準電圧を供給する第二電源と
をさらに有し、
前記検出回路と前記電圧変換回路は前記第二電源から共通の基準電圧を供給されることを特徴とする請求項１または２に記載の電源装置。
【請求項４】
前記検出回路からの検出信号と目標値とを比較し、比較結果に応じて前記電圧生成回路を制御することで、前記出力電圧を目標電圧へ調整する制御回路をさらに有し、
前記目標値は前記パルス信号のデューティに応じて生成された前記制御信号によって指定されることを特徴とする請求項１ないし３のいずれか１項に記載の電源装置。
【請求項５】
前記電圧生成回路に電圧を供給する第三電源をさらに有することを特徴とする請求項１ないし４のいずれか１項に記載の電源装置。
【請求項６】
前記信号生成回路は、前記電圧変換回路から入力されたパルス信号を直流レベルの前記制御信号に変換する信号変換回路を含むことを特徴とする請求項１ないし５のいずれか１項に記載の電源装置。
【請求項７】
感光体と、
前記感光体を帯電させる帯電手段と、
前記帯電した感光体を露光して静電潜像を形成する露光手段と、
前記静電潜像をトナーにより現像してトナー画像を形成する現像手段と、
前記トナー画像をシートまたは中間転写体に転写する転写手段と、
前記トナー画像をシートに定着させる定着手段と、
前記帯電手段、前記現像手段または前記転写手段のいずれかに電圧を供給する電源装置と
を有し、
前記電源装置は、
ハイレベルとローレベルとを繰り返すパルス信号に基づき制御信号を生成する信号生成回路と、
前記制御信号にしたがって出力電圧を生成する電圧生成回路と、
前記電圧生成回路が生成した出力電圧を検出して検出信号を出力する検出回路と、
入力されたパルス信号の電圧レベルのうちハイレベルを、前記検出回路に供給される基準電圧のレベルに変換し、前記信号生成回路に出力する電圧変換回路と
を有することを特徴とする画像形成装置。
【請求項８】
ハイレベルとローレベルとを繰り返すパルス信号に基づき制御信号を生成する信号生成回路と、
前記制御信号にしたがって出力電圧を生成する電圧生成回路と、
前記電圧生成回路が生成した出力電圧を検出して検出信号を出力する検出回路と、
を有する電源装置の制御方法であって、
入力されたパルス信号の電圧レベルのうちハイレベルを、前記検出回路に供給される基準電圧のレベルに変換し、前記信号生成回路に出力する工程と、
前記信号生成回路において、前記電圧レベルを変換されたパルス信号に基づき前記制御信号を生成する工程と、
前記制御信号と前記検出回路からの検出信号とにしたがって前記電圧生成回路を制御する工程と
を有することを制御方法。
【請求項９】
請求項１ないし６のいずれか１項に記載の電源装置から電圧を供給されて動作することを特徴とする電気機器。
【発明の詳細な説明】
【技術分野】
【０００１】
本発明は、電源装置、画像形成装置、電気機器および制御方法に関する。
【背景技術】
【０００２】
電子写真方式の画像形成装置はプロセスユニットに高電圧を供給する高圧電源を備えている。特許文献１によれば二次転写ローラに高電圧を印加する高圧回路が記載されている。
【先行技術文献】
【特許文献】
【０００３】
【特許文献１】特開２００５−７００８３号公報
【発明の概要】
【発明が解決しようとする課題】
【０００４】
高電圧を出力する高圧電源は、帯電ローラに印加する帯電電圧を生成したり、現像スリーブに印加する現像電圧を生成したり、一次転写ローラに印加する一次転写電圧を生成したりする。これらの電圧を安定して生成できなければ、トナー画像の濃度にムラが発生したりする。とりわけ、高圧電源の内部に設けられている複数の基準電源が供給する基準電圧が相互にばらつくと、高圧電源から出力される出力電圧にもばらつきが発生する。よって、基準電圧のばらつきを出力電圧に影響しにくくする回路構成が必要となる。そこで、本発明は電源装置の出力電圧の精度を高めることを目的とする。
【課題を解決するための手段】
【０００５】
本発明は、たとえば、
ハイレベルとローレベルとを繰り返すパルス信号に基づき制御信号を生成する信号生成回路と、
前記制御信号にしたがって出力電圧を生成する電圧生成回路と、
前記電圧生成回路が生成した出力電圧を検出して検出信号を出力する検出回路と、
入力されたパルス信号の電圧レベルのうちハイレベルを、前記検出回路に供給される基準電圧のレベルに変換し、前記信号生成回路に出力する電圧変換回路と
を有することを特徴とする電源装置を提供する。
【発明の効果】
【０００６】
本発明によれば、電源装置の出力電圧の精度を高めることが可能となる。
【図面の簡単な説明】
【０００７】
【図１】本発明の第１の実施例に係る高圧電源及び画像形成装置の制御基板のブロック図
【図２】従来の高圧電源及び画像形成装置の制御基板のブロック図
【図３】検出回路の構成図
【図４】高圧出力目標値からのずれを示す図
【図５】複写機の概略構成図
【図６】バッファ回路の一例を示す図
【発明を実施するための形態】
【０００８】
図１は実施例に係る高圧電源２００と画像形成装置の制御基板５００とを示している。図２は、比較例の高圧電源５０４と画像形成装置の制御基板５００とを示している。ここでは共通する部分に同一の参照符号を付与することで説明の簡略化を図っている。図１と図２を比較すると分かるように、比較例では、信号変換回路５０５に入力されるＰＷＭパルスはロジック電源３．３Ｖｄに基づいて生成されている。出力電圧Ｖｏｕｔを検出する検出回路５０８の基準電源３．３Ｖｒｅｆとロジック電源３．３Ｖｄとは異なる電源である。一方で本実施例のＰＷＭパルスは電圧変換回路を経由して信号変換回路５０５に入力される。電圧変換回路は、ロジック電源３．３Ｖｄの基準電圧に基づいて生成されたＰＷＭパルスのハイレベルを基準電源３．３Ｖｒｅｆの基準電圧に一致するように変換する回路である。この電圧変換回路の一例がバッファ２０１である。バッファ２０１は基準電源３．３Ｖｒｅｆから基準電圧を供給されて動作するバッファ回路である。また、検出回路５０８とバッファ２０１とが共通の基準電源３．３Ｖｒｅｆに接続されている。この電源の共通化によって、ＰＷＭパルスのハイレベルを基準電源３．３Ｖｒｅｆの基準電圧に一致させることが容易となり、高圧電源の出力電圧Ｖｏｕｔの精度が向上する。
【０００９】
図１が示すように制御基板５００は、ＰＷＭパルスを発生するパルス発生回路５０１と、画像形成装置を制御するＣＰＵ５０２とを備えている。高圧電源２００は、バッファ２０１、ＰＷＭパルスを直流信号に変換する信号変換回路５０５、出力電圧Ｖｏｕｔが目標値になるようにフィードバック制御する出力制御回路５０６、出力電圧Ｖｏｕｔを生成する高圧生成回路５０７、出力電圧Ｖｏｕｔを検出する検出回路５０８を有している。この例では、出力電圧Ｖｏｕｔが感光体ドラム１０１を一様に帯電させる一次帯電ローラ１０２に印加される。しかしながら、高圧電源２００は、現像電圧、一次転写電圧、二次転写電圧などを生成する電源装置として採用されてもよい。
【００１０】
パルス発生回路５０１から出力されるＰＷＭパルスは周波数（周期）が一定で、かつ、デューティが可変の矩形波信号である。ＰＷＭパルスのデューティはＣＰＵ５０２によって指定される出力電圧Ｖｏｕｔの目標値に応じて変更される。ＣＰＵ５０２は出力電圧Ｖｏｕｔの目標値ごとに予め決められたＰＷＭデューティの設定データをメモリに記憶している。ＣＰＵ５０２は、環境温度や環境湿度に対応する設定データを読み出してパルス発生回路５０１に設定する。パルス発生回路５０１は受信した設定データに応じてＰＷＭパルスのデューティを調整する。パルス発生回路５０１はトランスＴ５１を駆動するためのパルス信号ＣＬＫも生成して高圧生成回路５０７に出力する。パルス信号ＣＬＫは周波数およびデューティが常に一定の矩形波信号である。
【００１１】
パルス発生回路５０１は、電圧源であるロジック電源３．３Ｖｄから供給された基準電圧に基づいてＰＷＭパルスを発生する。たとえば、ＰＷＭパルスのハイレベルは３．３Ｖであり、ローレベルは０Ｖである。つまり、ＰＷＭパルスのハイレベルはロジック電源３．３Ｖｄから供給された基準電圧に一致している。ロジック電源３．３Ｖｄから供給された基準電圧がばらつけばＰＷＭパルスのハイレベルもそれに連動してばらつくことになる。
【００１２】
本実施例において、パルス発生回路５０１から出力されたＰＷＭパルスはバッファ２０１に入力される。バッファ２０１は、電圧レベルを変換する回路であり、入力されたＰＷＭパルスのハイレベルを、基準電源３．３Ｖｒｅｆから供給された基準電圧に比例した電圧レベルに変換して出力する。これにより、バッファ２０１から出力されるＰＷＭパルスのハイレベルは、ロジック電源３．３Ｖｄに依存せずに、基準電源３．３Ｖｒｅｆに依存した電圧レベルになる。バッファ２０１からの出力は信号変換回路５０５に入力される。信号変換回路５０５は、抵抗Ｒ５１とキャパシタＣ５１とにより構成されており、ＰＷＭパルスを直流の制御信号Ｖｃｏｎｔに変換する。制御信号Ｖｃｏｎｔは出力制御回路５０６のオペアンプＯＰ５１の−入力端子に入力される。
【００１３】
バッファ２０１は基準電源３．３Ｖｒｅｆから供給された基準電圧により動作する。制御信号Ｖｃｏｎｔの信号レベルは次式により表現される。
Ｖｃｏｎｔ  ＝  ３．３Ｖ（基準電源３．３Ｖｒｅｆの電圧値）×ＰＷＭデューティ
たとえば、ＰＷＭパルスのデューティが５０％であれば、Ｖｃｏｎｔは１．６５Ｖである。
【００１４】
オペアンプＯＰ５１の＋入力端子には、検出回路５０８が生成する検出信号Ｖｓｎｓが入力される。検出回路５０８は、出力電圧Ｖｏｕｔを分圧して検出信号Ｖｓｎｓを生成する。検出回路５０８は分圧抵抗Ｒ５２、Ｒ５３、Ｒ５４と基準電源３．３Ｖｒｅｆとにより構成されている。電圧変換回路５１２は電源２４Ｖにより生成された２４Ｖの電圧を変換することで基準電源３．３Ｖｒｅｆを生成している。
【００１５】
オペアンプＯＰ５１の出力端子からは検出信号Ｖｓｎｓと制御信号Ｖｃｏｎｔが同じレベルになるようなレベルの出力信号をトランジスタＱ５１のベースに伝送する。トランジスタＱ５１はオペアンプＯＰ５１の出力信号に応じた電圧を出力する。なお、オペアンプＯＰ５１の出力端子と＋入力端子との間にはキャパシタＣ５２が挿入されている。トランジスタＱ５１のコレクタは電源２４Ｖに接続されている。トランジスタＱ５１のエミッタはキャパシタＣ５３を介して接地されている。さらに、トランジスタＱ５１のエミッタは高圧生成回路５０７のトランスＴ５１の一次側巻線の一端に接続されている。トランスＴ５１の一次側巻線の他端はＦＥＴ  Ｑ５２のドレインに接続されている。また、ＦＥＴ  Ｑ５２のドレインはキャパシタＣ５５を介して接地されている。
【００１６】
ＦＥＴ  Ｑ５２のゲートにはパルス発生回路５０１から供給されたパルス信号ＣＬＫが入力される。ＦＥＴ  Ｑ５２のソースは接地されている。ＦＥＴ  Ｑ５２はパルス信号ＣＬＫによりスイッチング動作してトランジスタＱ１を駆動することで、トランスＴ５１の一次側で直流電圧を交流電圧に変換する。トランスＴ５１は、一次巻線に印加された交流電圧を昇圧して二次側巻線に出力する。二次側巻線に出力された高電圧は整流ダイオードＤ５１で整流され、平滑コンデンサＣ５４で平滑される。これにより直流の出力電圧Ｖｏｕｔが生成される。なお、二次側巻線の一端は整流ダイオードＤ５１を介して高圧電源２００の出力端子に接続されている。平滑コンデンサＣ５４は二次側巻線の一端と他端との間に挿入されている。二次側巻線の他端は接地されている。このように高圧電源２００は検出信号Ｖｓｎｓと制御信号Ｖｃｏｎｔが同じレベルになるようにオペアンプＯＰ５１の出力信号レベルを制御することで、出力電圧Ｖｏｕｔを一定に維持している。
【００１７】
＜バッファ２０１による出力精度の向上＞
次に、本実施例の高圧電源２００の出力精度が比較例の高圧電源５０４と比べて向上していることについて説明する。図２が示すように比較例の制御信号生成回路５０３では、実施例の制御信号生成回路２０２からバッファ２０１が省略されている。
【００１８】
図３を用いて検出回路５０８の詳細について説明する。ここでは抵抗Ｒ５２の抵抗値を１０ＭΩとする。抵抗Ｒ５３の抵抗値を２２０ｋΩとする。抵抗Ｒ５４の抵抗値を３０ｋΩとする。この検出回路５０８において、出力電圧Ｖｏｕｔは、抵抗Ｒ５２、Ｒ５３、Ｒ５４および検出信号Ｖｓｎｓを以下の式で表すことできる。
Ｖｏｕｔ  ＝  （Ｖｓｎｓ＊（３０ｋΩ＊２２０ｋΩ＋１０ＭΩ＊２２０ｋΩ＋１０ＭΩ＊３０ｋΩ）−３．３Ｖｒｅｆ＊１０ＭΩ＊２２０ｋΩ）／（３０ｋΩ＊２２０ｋΩ）・・・式１
検出信号Ｖｓｎｓは制御信号Ｖｃｏｎｔと同じレベルになるため式１は以下のように表せる。
Ｖｏｕｔ  ＝  （Ｖｃｏｎｔ＊（３０ｋΩ＊２２０ｋΩ＋１０ＭΩ＊２２０ｋΩ＋１０ＭΩ＊３０ｋΩ）−３．３Ｖｒｅｆ＊１０ＭΩ＊２２０ｋΩ）／（３０ｋΩ＊２２０ｋΩ）・・・式２
高圧電源２００では、パルス発生回路５０１と信号変換回路５０５との間にバッファ２０１が設けられている。さらに。バッファ２０１と検出回路５０８は共通の電源である基準電源３．３Ｖｒｅｆに接続されている。つまり、制御信号Ｖｃｏｎｔと検出電圧Ｖｓｎｓを生成するために用いられる電源が同一となっている。
【００１９】
図４において横軸は制御電圧Ｖｃｏｎｔを示し、縦軸は出力電圧Ｖｏｕｔの目標値からのずれΔＶを示している。図４において破線ｉは比較例の高圧電源５０４の出力精度を示している。ここでは目標値を−７００Ｖに設定して出力精度を比較する。ロジック電源３．３Ｖｄが３．３Ｖから＋１％ずれ、基準電源３．３Ｖｒｅｆが３．３Ｖから−１％ずれている。その結果、比較例の高圧電源５０４の出力電圧Ｖｏｕｔは約−６８５Ｖとなり、目標値から約＋１５Ｖずれている。破線ｉｉは比較例の高圧電源５０４においてロジック電源３．３Ｖｄが３．３Ｖから−１％ずれ、基準電源３．３Ｖｒｅｆが３．３Ｖから＋１％ずれたときの出力精度を示している。出力電圧Ｖｏｕｔは約−７１５Ｖとなり、目標値から約−１５Ｖずれている。
【００２０】
実線ｉｉｉは本実施例の高圧電源２００の出力精度を示している。ここでは、基準電源３．３Ｖｒｅｆが３．３Ｖから＋１％ずれているものとする。出力電圧Ｖｏｕｔは約−７０７Ｖとなり、目標値から約−７Ｖのずれとなる。実線ｉｖは本実施例の高圧電源２００において、基準電源３．３Ｖｒｅｆが３．３Ｖから−１％ずれたときの出力精度を示している。出力電圧Ｖｏｕｔは約−６９３Ｖとなり、目標値から約＋７Ｖのずれとなる。
【００２１】
以上のように本実施例では、制御信号Ｖｃｏｎｔの基準電源と検出回路の基準電源が同じであるため、基準電源の出力電圧がばらついても、制御信号Ｖｃｏｎｔと検出電圧Ｖｓｎｓが同じ方向にばらつく。このため、ワーストケース（基準電源が３．３Ｖ±１％ばらついた場合）であって、本実施例は比較例に対して出力精度が向上している。
【００２２】
＜画像形成装置の一例＞
図５は、制御基板５００と高圧電源２００を採用可能な画像形成装置１００の一例を示している。画像形成装置１００は、たとえば、ファクシミリ装置や複写機、レーザービームプリンタとして製品化されうる。画像形成装置１００は、４つの画像形成部を備え、多色画像を形成する。４つの画像形成部の構成は、トナーの色が異なる点を除き、共通している。感光体ドラム１０１は反時計回りに回転し、一次帯電ローラ１０２によって表面を均一に帯電される。一次帯電ローラ１０２は感光体を帯電させる帯電手段の一例である。レーザーユニット１０３は均一に帯電した感光体ドラム１０１の表面にレーザ光を照射し、静電潜像を形成する。レーザーユニット１０３は帯電した感光体を露光して静電潜像を形成する露光手段の一例である。現像スリーブ１０４は、トナーによって静電潜像を現像し、トナー画像を形成する。現像スリーブ１０４は静電潜像をトナーにより現像してトナー画像を形成する現像手段の一例である。一次転写ローラ１０５は中間転写ベルト１０６と接し、トナー画像を感光体ドラム１０１から中間転写ベルト１０６の表面に一次転写する。一次転写ローラ１０５はトナー画像を中間転写体に転写する転写手段の一例である。イエロー、マゼンタ、シアン、ブラックのトナー画像が順番に中間転写ベルト１０６の表面に一次転写され、多色画像となる。中間転写ベルト１０６に担持された多色画像が二次転写内ローラ１０７と二次転写外ローラ１０８を通過するときに、用紙カセット１１０から給紙された用紙１１３に二次転写される。二次転写内ローラ１０７と二次転写外ローラ１０８はトナー画像をシートに転写する転写手段の一例である。用紙１１３は定着器１１１に搬送されて加圧および加熱され、トナー画像が用紙１１３の表面に定着する。定着器１１１はトナー画像をシートに定着させる定着手段の一例である。
【００２３】
商用電源１１４から供給された交流電圧はメインスイッチ１１５を介してＡＣ／ＤＣ電源１１６に供給される。つまり、メインスイッチ１１５をＯＮ状態にするとより交流電圧がＡＣ／ＤＣ電源１１６に供給される。ＡＣ／ＤＣ電源１１６は画像形成装置１００を稼動させるための電源であり、商用電源１１４より供給された交流電圧を何種類かの直流電圧に変換する。ＡＣ／ＤＣ電源１１６は複数の高圧電源２００を有している。複数の高圧電源２００は、それぞれ一次帯電ローラ１０２、現像スリーブ１０４、一次転写ローラ１０５、二次転写外ローラ１０８に電圧を供給する。図１では一例として一次帯電ローラ１０２に帯電電圧を供給する高圧電源を示したに過ぎない。上述した高圧電源２００を採用することで出力電圧Ｖｏｕｔの出力精度が向上するため、トナー画像の濃度も安定することになる。たとえば、帯電電圧が目標値に精度よく制御されるため、トナー画像の濃度が目標濃度に維持されるようになろう。
【００２４】
実施例では、主に帯電ローラに帯電電圧を供給する電源装置について説明した。しかし、本発明の技術思想は、現像器に現像電圧を供給する電源装置や転写ローラに転写電圧を供給する電源装置にも適用できる。さらに本発明は、画像形成装置だけでなく、電気機器や機械に高電圧を供給する電源装置に適用されてもよい。本実施例では、出力電圧を一定に制御する定電圧制御方式の電源装置について説明したが、出力電流を一定に制御する定電流制御方式の電源装置についても本発明は適用可能である。
【００２５】
＜バッファ回路の一例＞
図６はバッファ２０１の一例を示す回路図である。バッファ２０１はＣＭＯＳロジック回路により構成されている。ただし、バッファ２０１の回路構成は一例にすぎず、入力されたＰＷＭパルスのハイレベルを検出回路５０８の電源電圧レベルへ変換できるものであれば十分である。
【００２６】
＜まとめ＞
以上の実施例では、ハイレベルとローレベルとを繰り返すパルス信号に基づき制御信号を生成する信号生成回路の一例として制御信号生成回路２０２を説明した。また、制御信号にしたがって出力電圧を生成する電圧生成回路の一例として出力制御回路５０６および高圧生成回路５０７について説明した。さらに、高圧生成回路５０７が生成した出力電圧を検出して検出信号を出力する検出回路の一例として検出回路５０８について説明した。とりわけ、本実施例では、入力されたパルス信号の電圧レベルのうちハイレベルを、検出回路に供給される基準電圧のレベルに変換し、信号生成回路に出力する電圧変換回路を用いている。そのため、電源３．３Ｖｄからの基準電圧と電源３．３Ｖｒｅｆからの基準電圧とが逆方向にばらついたとしても、出力電圧への影響が小さくなる。
【００２７】
このような働きをする電圧変換回路の一例としてバッファ２０１について説明した。図６を用いて説明したようにバッファ２０１は比較的に簡単な回路で構成できるため、製造コストの上昇を抑えつつ、出力電圧の精度を向上できる。
【００２８】
実施例では、第一電源として電源３．３Ｖｄを採用した。また、第一電源から独立し、基準電圧を供給する第二電源として電源３．３Ｖｒｅｆを採用した。第一電源から供給された基準電圧に基づき電圧変換回路に供給されるパルス信号を発生する発生回路としてパルス発生回路５０１について説明した。とりわけ、検出回路５０８とバッファ２０１は電源３．３Ｖｒｅｆから共通の基準電圧を供給されているため、入力されたパルス信号のハイレベルを、電源３．３Ｖｒｅｆから検出回路５０８に供給される基準電圧のレベルに一致させやすくなる。
【００２９】
検出回路５０８からの検出信号と目標値とを比較し、比較結果に応じて高圧生成回路５０７を制御することで出力電圧を目標電圧へ調整する制御回路の一例として出力制御回路５０６について説明した。ちなみに、この目標値はパルス信号のデューティに応じて生成された制御信号によって指定される。高圧生成回路５０７に電圧を供給する第三電源として２４Ｖ電源について説明した。高圧生成回路５０７が数百ボルトの高電圧を発生する場合、変換前の電圧もより高いものが用いられる。バッファ２０１から入力されたパルス信号を直流レベルの制御信号に変換する信号変換回路の一例としては信号変換回路５０５があげられる。
【００３０】
上述したように本発明の電源装置は画像形成装置などの電気機器に搭載されてもよい。画像形成装置では、供給された電圧が安定するため画像の濃度ムラを低減させることが可能となろう。また電気機器では電気機器を安定に動作させることが可能となろう。
【符号の説明】
【００３１】
５０５・・・制御信号生成回路、５０６・・・出力制御回路、５０７・・・高圧生成回路、５０８・・・検出回路、２０１・・・バッファ
【図１】
2015204675.tif 000003
【図２】
2015204675.tif 000004
【図３】
2015204675.tif 000005
【図４】
2015204675.tif 000006
【図５】
2015204675.tif 000007
【図６】
2015204675.tif 000008